(57)【要約】【課題】  スペーサの位置する部分での輝度低下および全体的な輝度不均一性が改善された平板ランプを提供する。【解決手段】  前面板１と背面板２間の放電空間に電界を形成してガス放電を誘導する電極手段４ａと、前記前面板１と背面板２間に複数分散配置されるスペーサ３を備える平板ランプであり、前記スペーサ３は、前記前面板および背面板のうち何れか一方の内面に接触する第１部分と他方の内面に接触する第２部分とを備える。前記スペーサ３の第２部分は、第１部分を中心に少なくとも二つの方向に延びる構造を有する。蛍光物質層５は、例えば、前面板１の内面または背面板２の内面に形成される。スペーサ３が紫外線を吸収または遮断する場合でも、別途に放電されるスペーサ３の内部空間に隣接したスペーサ３の内面に蛍光体５が形成されるので、このスペーサ３が形成された部分でも可視光線の発光が起こる。【選択図】      図１Ａ
2005093436.tif 000002
【特許請求の範囲】
【請求項１】
放電ガスが収容される所定ギャップの空間を形成する前面板および背面板と、
前記前面板および背面板の間の放電空間に電界を形成してガス放電を誘導する電極手段と、
前記放電空間内に位置して前記ガス放電によって発生した紫外線によって可視光線を発生させる蛍光体層と、
前記前面板および背面板の間に複数分散配置されるものであって、前記前面板および背面板のうち何れか一方の内面に接触する第１部分と他方の内面に接触する第２部分とを備え、前記第２部分は第１部分を中心に少なくとも二つの方向に延びる構造を有するスペーサと、を備えることを特徴とする平板ランプ。
【請求項２】
前記スペーサは、一側が開放された内部空間を有し、その内面に蛍光体層が塗布されていることを特徴とする請求項１に記載の平板ランプ。
【請求項３】
前記スペーサは、一側が開放された内部空間を有する半円形断面、半楕円形断面のうち何れか一つの断面形状を有することを特徴とする請求項１に記載の平板ランプ。
【請求項４】
前記スペーサは、一側が開放されており、前記第１部分に対応する一つの頂点を有し、その頂点から所定の角度をおいて延びる第２部分を有することを特徴とする請求項１に記載の平板ランプ。
【請求項５】
前記スペーサは、前記放電空間の内部をほぼ横切る長さを有し、前記放電空間内で複数個並んで配置されていることを特徴とする請求項１ないし４のうち何れか一項に記載の平板ランプ。
【請求項６】
前記前面板および背面板間の放電空間は、複数に分離されており、分離された各空間に前記スペーサが設けられることを特徴とする請求項５に記載の平板ランプ。
【請求項７】
前記電極手段は、複数個並んでいる電極を備え、
前記スペーサは、前記電極に直交する方向に配置されることを特徴とする請求項５に記載の平板ランプ。
【請求項８】
前記スペーサは、前記放電空間内で所定分布で複数分散配置されていることを特徴とする請求項１ないし４のうち何れか１項に記載の平板ランプ。
【請求項９】
前記前面板および背面板間の放電空間は、複数に分離されており、分離された各空間に前記スペーサが設けられることを特徴とする請求項８に記載の平板ランプ。
【請求項１０】
前記スペーサの第１部分は前記前面板の内面に接触し、第２部分は背面板の内面に接触することを特徴とする請求項１ないし４のうち何れか１項に記載の平板ランプ。
【請求項１１】
前記スペーサの第１部分は前記前面板の内面に接触し、第２部分は背面板の内面に接触し、
前記前面板の内面のうち前記スペーサの第１部分が接触する部分を除外した部分に蛍光体層が形成されていることを特徴とする請求項２に記載の平板ランプ。
【請求項１２】
前記スペーサは、紫外線吸収性を有することを特徴とする請求項１１に記載の平板ランプ。
【請求項１３】
前記スペーサの外面に蛍光体層が塗布されていることを特徴とする請求項１１に記載の平板ランプ。
【請求項１４】
前記背面板の内面に蛍光体層が塗布されていることを特徴とする請求項１２に記載の平板ランプ。
【請求項１５】
前記スペーサの第１部分は前記前面板の内面に接触し、
前記前面板の内面に蛍光体層が形成され、この蛍光体層は前記スペーサが接触する部分まで延びていることを特徴とする請求項１に記載の平板ランプ。
【請求項１６】
前記スペーサは、透光性を有することを特徴とする請求項１５に記載の平板ランプ。
【発明の詳細な説明】
【技術分野】
【０００１】
本発明は、平板ランプに係り、さらに詳細には、前面板と背面板間に間隔を維持するスペーサの構造を改善したプラズマ平板ランプに関する。
【背景技術】
【０００２】
主に、ＬＣＤ（液晶ディスプレイ：Liquid Crystal Display）のバックライトとして開発された平板ランプは、プラズマ放電時にポジティブカラムから放出される紫外線によって蛍光体が励起されて可視光線を発生させている。プラズマ放電中に、可視光線を発するネガティブグローと多量の紫外線を放出するポジティブカラムとが放電空間内に生成される。このようなプラズマ放電のための空間は、両基板間の隔壁によってライン単位またはピクセル単位で区画されている。
【０００３】
平板ランプは、所定間隔を維持する前面板および背面板間の密閉された放電空間内に放電ガスと放電電極とが配された構造を有する。このような平板ランプは、内部電極に電圧をかけて放電ガスによるプラズマ放電を起して中性ガスの原子および分子を励起させる高温の電子を発生させ、この電子によって励起された原子および分子が基底状態になって紫外線が発生し、この紫外線が放電空間の内壁に塗布された蛍光体を励起させることによって、可視光を発生させる装置である。
【０００４】
平板ランプの前面板と背面板間には前面板と背面板間のエッジに位置する壁体があるだけでなく、大気圧に比べて低い圧力を維持する放電空間内に適切なサイズのスペーサが設けられて前面板と背面板間の間隔を一定に維持させる。スペーサは、一般的に球形、三角柱形または四角柱形、十字型柱形などの形状のものが使われる。このようなスペーサは放電空間内に配置されているので、放電空間と蛍光体層とが塗布される領域を一部占有する。その結果、蛍光体層が塗布される部分の面積が狭くなるとともに、このスペーサが紫外線を吸収および遮断することによって蛍光体層を励起させるエネルギーを減少させ、局部的な輝度低下をもたらす。したがって、このような輝度の不均一を解決するためには、光を均一に拡散させるための拡散地（diffusion area）または拡散板（diffusion plate）を前面板側に適用しなければならない（非特許文献１参照）。
【０００５】
拡散地や拡散板によって局部的な輝度差（輝度ムラ；不均一）を減少させることは現実的に不可避であるが、発光領域での輝度差を低減することにより、拡散地や拡散板の設計上の難しさを減らすことができる。
【０００６】
特許文献１は、球形（ball）スペーサの表面に蛍光物質を塗布し、これに対応する前面板の内面の蛍光体層を局部的に除去する技術を提案している。これは、球形スペーサによって吸収または遮断される紫外線を利用して蛍光物質を発光させることにより、局部的な輝度低下を抑制するものである。
【０００７】
また、特許文献２は、蛍光物質が塗布された円筒形スペーサを使用して放電空間を分離するとともに、スペーサ付近での局部的な輝度低下を防止する技術を開示する。
【０００８】
このように、平板ランプで要求される課題のうち一つは、放電空間内に位置するスペーサによる局部的な光量の減少およびこれによる全体的な輝度の不均一化を抑制することであり、さらに望ましくは放電空間内部での発光領域を最大化することである。
【特許文献１】米国特許６,５３１,８２２号明細書
【特許文献２】米国特許出願公開２００２００２１５６４号明細書
【非特許文献１】ミヒャエル・イルマー外（M. Ilmer et al.）著論文，ソサイエティ・フォー・インフォメーション・ディスプレイ（ＳＩＤ：Society for Information Display）インターナショナル・シンポジウム・ダイジェスト・オブ・テクニカル・ペーパーズ（International Symposium Digest of Technical Papers） ３１，９３１（アメリカ合衆国、ソサイエティ・フォー・インフォメーション・ディスプレイ、２０００年）
【発明の開示】
【発明が解決しようとする課題】
【０００９】
本発明が解決しようとする技術的課題は、放電空間内に位置するスペーサによる局部的な輝度低下を抑制できる平板ランプを提供することである。
【００１０】
また、本発明が解決しようとする他の一つの技術的課題は、平板ランプでスペーサによる発光領域の減少を効果的に抑制できる平板ランプを提供することである。
【課題を解決するための手段】
【００１１】
本発明による平板ランプは、放電ガスが収容される所定ギャップの空間を形成する前面板および背面板と、前記前面板および背面板の間の放電空間に電界を形成してガス放電を誘導する電極手段と、前記前面板と背面板間に複数分散配置されるものであって、前記前面板および背面板のうち何れか一方の内面に接触する第１部分と他方の内面に接触する第２部分とを備え、前記第２部分は第１部分を中心に少なくとも二つの方向に延びる構造を有するスペーサと、を備えることを特徴とする。
【００１２】
前記本発明による平板ランプの一実施例によれば、前記スペーサは、一側が開放された内部空間を有し、その内面に蛍光体層が塗布されている。また、前記スペーサは一側が開放されて内部空間を有する半円形断面、半楕円形断面のうち何れか一つの断面形状または前記第１部分に対応する一つの頂点を有し、頂点から所定の角度をおいて延びる第２部分を有する。
【００１３】
本発明の他の実施例によれば、前記スペーサは前記放電空間の内部をほぼ横切る長さを有し、このようなスペーサは、前記放電空間内で複数個並んで配置される。また、前記前面板および背面板間の放電空間は複数に分離されており、分離された各空間に前記スペーサが設けられる。
【００１４】
また、本発明のさらに他の実施例によれば、前記スペーサは非常に短い長さを有し、前記放電空間内で所定分布で複数分散配置されており、さらには前記前面板および背面板間の放電空間は複数に分離されており、分離された各空間に前記短いスペーサが設けられる。
【００１５】
本発明の望ましい一実施例によれば、前記スペーサの第１部分は前記前面板の内面に接触し、第２部分は背面板の内面に接触し、前記前面板の内面のうち前記スペーサの第１部分が接触する部分を除外した部分に蛍光体層が形成される。
【００１６】
また、本発明の望ましい他の実施例によれば、前記スペーサの第１部分は前記前面板の内面に接触し、前記前面板の内面に蛍光体層が形成され、この蛍光体層は前記スペーサが接触する部分まで延びる。
【発明の効果】
【００１７】
本発明の平板ランプは、上述のような、新設計のスペーサを備える。このスペーサによれば、スペーサによる局部的な輝度低下および全体的な輝度の不均一性が大きく改善できる。
【発明を実施するための最良の形態】
【００１８】
以下、添付された図面を参照しつつ本発明の望ましい実施例を詳細に説明する。以下の説明では、平板ランプでの電極を含む放電手段およびそれを利用した放電方法については説明を省略するが、本発明においては、あらゆる公知の手段・方法が用いうるのであり、その手段・方法が本発明の技術的範囲を制限するものではないと理解されるべきである。また、本発明における放電方式としては、公知の多様な放電方式、例えばＡＣパルス駆動方式やＤＣパルス駆動方式が用いられるものとする。さらに、電極の具体的な構造についても詳細説明は省略するが、電極の構造も、本発明の技術的範囲を制限するものではないと理解されるべきである。
【００１９】
図１Ａおよび図１Ｂに、本発明の第１実施形態としての平板ランプを概略的に示す。第１実施形態としての平板ランプは、図１Ａおよび図１Ｂに示すように、所定ギャップの放電空間６を画定する前面板１と背面板２とが所定間隔離隔して配置されており、それら間に半円形断面を有する所定長さの透光性（特に紫外線に対する透過性および非吸収性）を有するスペーサ３が複数個並べて設けられている。前記背面板２の背面には前記スペーサ３に直交する方向に延びる複数の放電電極４ａが並んで配置されている。前記前面板１の内面には蛍光体層５が形成されている。
【００２０】
図２Ａおよび図２Ｂに、本発明の第２実施形態としての平板ランプを概略的に示す。第２実施形態としての平板ランプは、図２Ａおよび図２Ｂに示すように、放電空間６を画定する前面板１と背面板２とが所定間隔離隔して配置されており、それらの間に半円形断面を有する所定長さの透光性スペーサ３が複数個並べて設けられている。前記背面板２の背面と前面板１の前面とに前記スペーサ３に直交する方向に延びる放電電極４ａ，４ｂがそれぞれ複数個並んで配置されている。前記前面板１の内面には蛍光体層５が形成されている。
【００２１】
前記第１実施形態および第２実施形態の特徴は、スペーサ３が半円筒形、すなわち半円形の断面を有するという点にある。ここで、スペーサ３の構造をさらに詳しく説明すれば、スペーサ３は、図３Ａに概略的に示すように、前面板１の内面に接触する頂上部分である第１部分３ａと、第１部分３ａから延びて背面板２の内面に接触する一対の第２部分３ｂ，３ｂとを有する。したがって、スペーサ３は背面板２に向かって凹状の半円形断面の空間３ｃを形成する。この空間３ｃには前面板１と背面板２の間に充填される放電ガスが導入されるので、放電時には前記空間３ｃでも放電が起こる。ここで、スペーサ３に紫外線に対して透光性を有するものを用いれば、図３Ｂに示すように、前面板１の内面の各部位、とりわけ前記スペーサ３が重なっている部分にも紫外線が進入する。したがって、蛍光体層５のスペーサ３が重なっていたり接触していたりする部分でも可視光が発生する。これはスペーサ３の内側の空間３ｃとスペーサ３の外側の空間６とが蛍光体層５に対して相互に重なるように両空間３ｃ，６を区画するとともに、前面板１と背面板２との間隔を維持させるスペーサ３の構造的な特徴による。
【００２２】
このようにスペーサ３の内側空間３ｃとその外側空間６とを相互に重なるように構成する他の実施形態として、図４のような形態（第３実施形態）に構成できる。すなわち、半円筒形スペーサ３の一対の第２部分３ｂが前面板１側に向かって延出し、頂上の第１部分３ａが背面板２の内面に接触するように、スペーサ３の配置方向を変更する。このような形態によってもスペーサ３内側の空間３ｃとスペーサ３外側の空間６とが蛍光体層５に対して相互に重なるので、蛍光体層の全ての部分に紫外線が到達できる。
【００２３】
前記のように、スペーサ３の配置方向を異にする実施形態以外にも、前記のような内側空間３ｃを区画できることを設計条件として、スペーサ３の断面形状および長さを変更することによって様々な変形例が可能である。すなわち前面板１または背面板２に接触する頂上部分である第１部分と、第１部分から延びて背面板２または前面板１に接触する第２部分とを有し、それにより、隔離された内部空間を形成できる構造であれば、スペーサ３の断面形状および長さは適宜変更が可能である。
【００２４】
図５Ａないし図５Ｄを参照して、スペーサ３の形状や長さ（断面形状）のバリエーションを例示説明する。ここでは便宜上、蛍光体層５が前面板１の内面に形成されているものとして、図示し、説明している。しかし、前記蛍光体層５は、たとえば、前面板１の内面だけでなく同時に背面板２の内面に形成しておいてもよい。あるいは、前面板１の内面には形成せず背面板２の内面にのみ形成することもできる。蛍光体層５は、少なくとも前面板１の内面に形成されるものとするのが好ましい。このような蛍光体層の形成部位は任意選択可能なものであって、本発明の技術的範囲を制限しない。
【００２５】
図５Ａに示すスペーサ３１は、一辺が開放された三角形の断面形状を有する。スペーサ３１は、具体的に、前面板１または背面板２の内面に接触する第１部分３１ａとこれから延びて背面板２または前面板１に接触する一対の第２部分３１ｂとを備える。したがって、前記スペーサ３１の内部には三角形の断面形状を有する内部空間３１ｃが設けられる。
【００２６】
図５Ｂに示すスペーサ３２は、楕円の長軸に沿って切断された断面形状を有する。スペーサ３２は、具体的に、前面板１または背面板２の内面に接触する第１部分３２ａとこれから延びて背面板２または前面板１に接触する一対の第２部分３２ｂとを備える。したがって、前記スペーサ３２の内部には広い幅と低い高さとを有する半楕円形の断面形状を有する内部空間３２ｃが設けられる。
【００２７】
図５Ｃに示すスペーサ３３は、楕円の短軸に沿って切断された断面形状を有する。スペーサ３３は、具体的に、前面板１または背面板２の内面に接触する第１部分３３ａとこれから延びて背面板２または前面板１に接触する一対の第２部分３２ｂとを備える。したがって、前記スペーサ３３の内部には狭い幅と高い高さとを有する半楕円形の断面形状を有する内部空間３３ｃが設けられる。
【００２８】
図５Ｄに示されたスペーサ３４は、一つの頂点（vertex）を有する多角形の一部を切断した断面形状を有する。スペーサ３４は、具体的に、前面板１または背面板２の内面に接触する第１部分３４ａとこれから延びて背面板２または前面板１に接触する一対の第２部分３４ｂとを備える。したがって、前記スペーサ３４の内部には複数の辺を有する多角形の断面形状を有する内部空間３４ｃが設けられる。
【００２９】
図５Ａないし図５Ｄは、前述したように変形可能なスペーサの多様な例の一部を表すものであり、したがって、本発明の技術的範囲は、これらの形状に限定されない。
【００３０】
前記のような本発明によるスペーサは、従来タイプのスペーサで発生した問題、すなわちスペーサ形成領域での紫外線吸収または遮断による局部的な輝度低下を防止する。前記のような本発明のスペーサは、その内面に蛍光物質を形成した形態とすることもできる。このような変形は、紫外線に対して非吸収性を有するスペーサを適用する実施例はもとより、紫外線に対して非吸収性を有するスペーサを適用する実施例にとりわけ好適である。
【００３１】
図６Ａないし図６Ｄは、紫外線に対する吸収性を有するスペーサ３′を適用した平板ランプの一実施例を概略的に示す。図６Ａないし図６Ｄに示すように、前面板１と背面板２間には半円形の断面形状を有するスペーサ３′が設けられている。このスペーサ３′は、紫外線に対して吸収性を有するガラスなどの物質より形成されている。このように紫外線に対して吸収性を有するスペーサ３′は、そうでない非吸収性のスペーサ３に比べて製造コストが安い。このスペーサ３′の内面には蛍光層５ａが塗布されており、スペーサ３′の頂上部分の前面板１に接触する部分、すなわち第１部分３ａには蛍光体層５が形成されていない。図６Ａの場合は、スペーサ３′の内面全体に蛍光体層５ａが形成されており、図６Ｂの場合は、蛍光体層５ａは、スペーサ３′の内面で第１部分３ａに隣接した領域にのみ部分的に形成されている。このようにスペーサ３が接触する前面板１の一部分に蛍光体層５が塗布されていなくても、その下部のスペーサ３の内面に塗布された蛍光体層５ａによる発光が可能であるので、この部分での輝度低下が発生しない。一方、図６Ｃに示すように、背面板２の内面にも蛍光体層５′が形成されている構造を有する。このように本発明による平板ランプは、蛍光体層（５、５ａ、５′）が、前面板１の内面だけでなく、背面板２の内面にも形成された構造とすることができる。さらには、図６Ｄに示すようにスペーサ３′の外面にも蛍光体層５ｂを形成した構造とすることも可能である。
【００３２】
前記のように、スペーサ３′は発光の可能な蛍光体層５ａを有するため、前面板１の内面に形成される蛍光体層５を局部的に除去してもよい。図７ないし図１１は、紫外線に対して吸収性を有するスペーサであって、図６Ａないし図６Ｄに示す平板ランプのスペーサの変形例を表す図面である。各図面で、（ａ）はスペーサの内面で頂上の第１部分に対応する部分に蛍光体層５ａが形成されたスペーサを示し、（ｂ）はスペーサの内面全体に蛍光体層５ａが塗布されているスペーサを示し、（ｃ）はスペーサの内面で頂上の第１部分に対応する部分に蛍光体層５ａが形成され、その外面で第２部分に対応する部分に蛍光体層が形成されたスペーサを示す。
【００３３】
図７に示すスペーサ３は半円筒形、すなわち半円形の断面を有し、これらのうち（ａ）に示すスペーサの内面には頂上の第１部分に対応するように蛍光体層５ａが部分的に塗布されており、（ｂ）に示すスペーサの場合には、その内面全体に蛍光体層５ａが塗布されており、（ｃ）に示すスペーサは頂上の第１部分に対応する部分の内面に蛍光体層５ａが形成され、その外面で第２部分に対応する部分に蛍光体層５ｂが形成されている構造を有する。
【００３４】
図８の（ａ）、（ｂ）、（ｃ）に示されたスペーサ３２は、一側が開放された三角形の断面形状を有し、それぞれは図７で説明した形態と同様に蛍光体層５ａ，５ｂが形成されている。
【００３５】
図９の（ａ）、（ｂ）、（ｃ）に示されたスペーサ３２は、楕円の長軸方向に切断された断面形状を有し、これらそれぞれも図７で説明した形態と同様に蛍光体層５ａ，５ｂが形成されている。
３
図１０の（ａ）、（ｂ）、（ｃ）に示されたスペーサ３３は、楕円の短軸方向に切断された断面形状を有し、これらそれぞれも図７で説明した形態と同様に蛍光体層５ａ，５ｂが形成されている。
【００３６】
図１１の（ａ）、（ｂ）、（ｃ）に示されたスペーサ３４は、一つの頂点を有する多角形の一部を切断した断面形状を有し、これらそれぞれも図７で説明した形態と同様に蛍光体層５ａ，５ｂが形成されている。
【００３７】
図７ないし図１１に示すスペーサの多様な断面形状は、たとえば、図６Ｄに示す平板ランプの、半円筒形の断面形状を有するスペーサ３′と置き換えて適用することができる。
【００３８】
前述した実施例では、電極手段の形成について具体的に説明しなかったが、前記第１実施形態では複数の電極手段の対が設けられ、これらが放電空間の外側に位置すると説明した。しかし、電極は放電空間内に配置することもできる。また、公知のように、必要に応じて電極は誘電体膜によって保護されるよう構成してもよい。本発明の平板ランプは、電極手段として少なくとも１対の電極を備え、それら電極は前面板と背面板間の放電空間に放電を起しうるレベルの電界が形成できるものであればいかなる形態でも可能であり、電極の多様な配置および設計は、本発明の技術的範囲を制限しない。
【００３９】
一方、本発明の技術的な中心になるスペーサは、図１Ａおよび図２Ａに示すように、前面板１と背面板２間でこれら空間を横切る形態に設計することができる。このような場合、図１Ａおよび図２Ａに示すように、スペーサは電極に対して直交する方向に延びることが望ましい。そして、本発明の他の実施例によれば、既存のボールタイプまたは柱タイプのスペーサのように、局部的に前面板１と背面板２の間に適正な分布で配置して構成することもできる。
【００４０】
次に、図１２Ａおよび図１２Ｂを参照し、本発明の第４実施形態としての平面ランプについて説明する。図１２Ａは、放電空間を横切る形態の長いスペーサ３，３′の一例を示し、図１２Ｂは、平板ランプ１００ａでのスペーサ３（３１、３２、３３、３４）の概略的な配置構造を示すレイアウト図である。
【００４１】
図１２Ｂに示すように、スペーサ３は、放電空間全体を横方向に横切るほどの長さを有し、このようなスペーサ３が放電空間内で複数個並んで配置されている。
【００４２】
次に、図１３Ａおよび図１３Ｂを参照し、本発明の第５実施形態としての平面ランプについて説明する。図１３Ａは、前述したスペーサと同様の断面形態を有し、但し、その長さは非常に短く切断されている形態のスペーサ３ａの一例を示す。このような短いスペーサ３ａは、図１３Ｂに示すように、ランプ１００ｂ内の放電空間６で一定の分布（間隔）で配置されている。
【００４３】
一方、前記のようなスペーサを適用する平板ランプは、一つの前面板１と背面板２との間に設けられる前記放電空間が内部の分離壁体によって複数個に分離されている形態を有するものとすることができる。これは、公知のように、大面積のＬＣＤのために開発されたものである。したがって、本発明によるスペーサもこのような複数個に分割された平板ランプに適用することができる。
【００４４】
次に、図１４Ａおよび図１４Ｂを参照し、本発明の第６実施形態および第７実施形態としての平面ランプについて説明する。図１４Ａを参照すれば、全体平板ランプ１００ｃは、一つの前面板１および背面板２を備え、これら間の放電空間が隔離壁体７によって複数の放電空間６に分離されている。図１４Ａに示す第６実施形態では、放電空間６が４個に分割されている。このように分割された放電空間には、前述したような本発明によるスペーサ３（３１，３２，３３，３４）が各放電領域で複数個並んで配置されている。
【００４５】
図１４Ｂを参照すれば、全体平板ランプ１００ｄは、一つの前面板１および背面板２を備え、これら間の放電空間が隔離壁体７によって複数の放電空間６に分離されている。図１４Ｂに示す第７実施形態では、放電空間６が４個に分割されている。このように分割された放電空間には、図１３Ｂを参照して説明したような形態に、本発明によるスペーサ３ａが各放電領域で所定分布で分散配置されている。
【００４６】
図１５に、本発明による平板ランプと従来の平板ランプとの部位別輝度を比較して示す。
【００４７】
図１５で、上部は平板ランプの概略図であって、Ａ〜Ｄ領域は従来の単純四角形の断面を有するスペーサが適用された従来型平板ランプの領域であり、Ｆ〜Ｉ領域は断面半円形の透光性スペーサが適用された本発明による平板ランプの領域を示す。
【００４８】
図１５で、下部のグラフを説明すれば、従来ランプと本発明ランプともスペーサが形成された領域で他の部分に比べて輝度が低下する傾向を示す。しかし、本発明はスペーサが形成された領域とそうでない領域とを含む全ての領域で従来ランプに比べて高い輝度を示す。グラフに表れているように、従来のスペーサが位置するＢ、Ｄでの輝度は２００ｃｄ／ｍ2であるが、断面半円形状のスペーサが位置する所では約３５０ｃｄ／ｍ2ほどの輝度を示しており、７０％以上の効率向上が見られる。それだけでなく、スペーサが形成されていない領域Ｃ，Ｇで、本発明Ｇは５５０ｃｄ／ｍ2の輝度を示し、５００ｃｄ／ｍ2以下の輝度を示す従来ランプＣに比べて約１３％ほど明るい輝度を表す。
【００４９】
以上、本発明の理解のために、図面に示された実施例を参考して説明されたが、これは例示的なものに過ぎず、当業者ならば、これから多様な変形および均等な他の実施例が可能であることが分かる。したがって、本発明の真の技術的保護範囲は、特許請求の範囲によって決定されなければならない。
【産業上の利用可能性】
【００５０】
このような本発明の平板ランプは、ＬＣＤのバックライト以外にも平面照明が要求されるいかなる形態の装置にも適用可能である。
【図面の簡単な説明】
【００５１】
【図１Ａ】本発明による平板ランプの第１実施形態を示す概略的な斜視図である。
【図１Ｂ】図１Ａに示す平板ランプの概略的な断面図である。
【図２Ａ】Ａは、本発明による平板ランプの第２実施形態を示す概略的な斜視図である。
【図２Ｂ】図２Ａに示す平板ランプの概略的な断面図である。
【図３Ａ】本発明による平板ランプの第１実施形態および第２実施形態で用いられる、スペーサの具体的な構造を説明するための図面である。
【図３Ｂ】図３Ａに示す平板ランプのスペーサの光学的機能を説明するための図面である。
【図４】第１実施形態および第２実施形態と同様のスペーサを用い、その配置方向を変更した本発明による平板ランプの第３実施形態を示す概略的な断面図である。
【図５Ａ】本発明の平板ランプに適用される多様な形状のスペーサの実施例を示す図面である。
【図５Ｂ】本発明の平板ランプに適用される多様な形状のスペーサの実施例を示す図面である。
【図５Ｃ】本発明の平板ランプに適用される多様な形状のスペーサの実施例を示す図面である。
【図５Ｄ】本発明の平板ランプに適用される多様な形状のスペーサの実施例を示す図面である。
【図６Ａ】紫外線に対する吸収性を有するスペーサを適用する本発明による平板ランプの実施例を示す概略的な断面図である。
【図６Ｂ】紫外線に対する吸収性を有するスペーサを適用する本発明による平板ランプの実施例を示す概略的な断面図である。
【図６Ｃ】紫外線に対する吸収性を有するスペーサを適用する本発明による平板ランプの実施例を示す概略的な断面図である。
【図６Ｄ】紫外線に対する吸収性を有するスペーサを適用する本発明による平板ランプの実施例を示す概略的な断面図である。
【図７】本発明の平板ランプに適用されるものであって、蛍光体層が３類型に塗布されたスペーサの多様な実施例を示す図面である。
【図８】本発明の平板ランプに適用されるものであって、蛍光体層が３類型に塗布されたスペーサの多様な実施例を示す図面である。
【図９】本発明の平板ランプに適用されるものであって、蛍光体層が３類型に塗布されたスペーサの多様な実施例を示す図面である。
【図１０】本発明の平板ランプに適用されるものであって、蛍光体層が３類型に塗布されたスペーサの多様な実施例を示す図面である。
【図１１】本発明の平板ランプに適用されるものであって、蛍光体層が３類型に塗布されたスペーサの多様な実施例を示す図面である。
【図１２Ａ】長いスペーサの一実施例を示す平板ランプの第４実施形態の概略的な平面図である。
【図１２Ｂ】図１２Ａに示すスペーサの配置構造を示す概略的な平面図である。
【図１３Ａ】非常に短いスペーサの一実施例示す平板ランプの第５実施形態の概略的な平面図である。
【図１３Ｂ】図１３Ａに示すスペーサの配置構造を示す概略的な平面図である。
【図１４Ａ】図８Ａに示された長いスペーサが適用され、放電空間が複数に分割された本発明による平板ランプの第６実施形態の概略的な平面図である。
【図１４Ｂ】図９Ａに示された長いスペーサが適用され、放電空間が複数に分割された本発明による平板ランプの第７実施形態の概略的な平面図である。
【図１５】本発明による平板ランプと従来構造の平板ランプとの部分別輝度を比較して示す図面である。
【符号の説明】
【００５２】
１    前面板
２    背面板
３    スペーサ
４ａ  放電電極
５    蛍光体層
【図１Ａ】
2005093436.tif 000003
【図１Ｂ】
2005093436.tif 000004
【図２Ａ】
2005093436.tif 000005
【図２Ｂ】
2005093436.tif 000006
【図３Ａ】
2005093436.tif 000007
【図３Ｂ】
2005093436.tif 000008
【図４】
2005093436.tif 000009
【図５Ａ】
2005093436.tif 000010
【図５Ｂ】
2005093436.tif 000011
【図５Ｃ】
2005093436.tif 000012
【図５Ｄ】
2005093436.tif 000013
【図６Ａ】
2005093436.tif 000014
【図６Ｂ】
2005093436.tif 000015
【図６Ｃ】
2005093436.tif 000016
【図６Ｄ】
2005093436.tif 000017
【図７】
2005093436.tif 000018
【図８】
2005093436.tif 000019
【図９】
2005093436.tif 000020
【図１０】
2005093436.tif 000021
【図１１】
2005093436.tif 000022
【図１２Ａ】
2005093436.tif 000023
【図１２Ｂ】
2005093436.tif 000024
【図１３Ａ】
2005093436.tif 000025
【図１３Ｂ】
2005093436.tif 000026
【図１４Ａ】
2005093436.tif 000027
【図１４Ｂ】
2005093436.tif 000028
【図１５】
2005093436.tif 000029